(57)【特許請求の範囲】
【請求項１】
・１つまたは複数の組成物を含み、製剤がそこから放出される手持ち式包装および投与デバイスと、
・内部クロックおよび／またはクロックデータ受信機と、
・前記包装および投与デバイスに結合された、またはそこに結合されるのに適している、前記包装および投与デバイスによって投与される前記製剤の少なくとも１つの特性を変えることができる調節システムと、
・少なくとも前記内部クロックおよび／または前記クロックデータ受信機によって出力されるクロックデータに応じて、前記調節システムに対して自動的に作用する、あるいは少なくとも前記クロックデータに応じて、前記調節システムに対して取るべき動作をユーザに知らせる手段と、
を備えることを特徴とする化粧用または皮膚用システム（１０）。
【請求項２】
少なくとも前記クロックデータに基づいて、放出される前記製剤中の少なくとも１つの活性剤の濃度を変えるように構成され、前記クロックデータが任意選択で時間と日付のデータを有することを特徴とする請求項１に記載のシステム。
【請求項３】
前記包装および投与デバイスが、放出される前記製剤を形成する目的で混合するために２つの異なる開始組成物を中に含む２つの貯蔵器を有し、前記調節システムが、少なくとも前記クロックデータに基づいて、投与する間一方の開始組成物と他方の組成物の比率を変え、および／または前記開始組成物の１つを分配することができることを特徴とする請求項１または２に記載のシステム。
【請求項４】
前記システムが、前記包装および投与デバイスの各利用の後で任意選択で再度初期化される経過時間計測器をさらに含み、前記調節が、基準時間からの経過時間に応じて行なわれることを特徴とする請求項１から３のいずれか一項に記載のシステム。
【請求項５】
前記調節が、絶対時間と、生理的サイクルと前記クロックデータの相関性を併用した生理的サイクルの少なくとも一方に応じて行なわれることを特徴とする請求項１から４のいずれか一項に記載のシステム。
【請求項６】
前記システムが、ユーザの電子ダイアリにアクセスし、少なくとも前記ダイアリおよび前記クロックデータから出力されるデータに基づいて、前記製剤の特性を調節するように構成されることを特徴とする請求項１から５のいずれか一項に記載のシステム。
【請求項７】
少なくとも前記クロックデータに基づいて、メッセージを配信することができる信号装置を含むことを特徴とする請求項１から６のいずれか一項に記載のシステム。
【請求項８】
前記包装および投与デバイスに結合された基地局を含み、前記基地局が、内部クロックおよび／またはクロックデータ受信機を含んでおり、前記内部クロックおよび／または前記クロックデータ受信機によって提供されるクロックデータに基づいて前記調節システムを制御するように構成されていることを特徴とする請求項１から７のいずれか一項に記載のシステム。
【請求項９】
共通の基地局に結合された複数の包装および投与デバイスを含むことを特徴とする請求項８に記載のシステム。
【発明の詳細な説明】
【技術分野】
【０００１】
本発明は、化粧用または皮膚用製剤の包装および投与に関する。より詳細には本発明は、皮膚、粘膜および／またはケラチン繊維に塗布するのに適した組成物の包装および投与に関する。
【背景技術】
【０００２】
様々な状況および様々なユーザの特徴（例えば皮膚のタイプ）に適応するように、多くの変形形態で利用できる化粧用製剤が望まれている。したがって、ユーザが、それぞれ異なる保持力を有する複数の口紅を持ちたいと考える場合もある。一般には、ユーザは１日中同じ口紅を使用する。しかしながら現在の口紅は、特定の時間帯に適応しておらず、このことは、口紅が早朝塗られる場合には最大限の保持力を有することが望ましく、その一方で口紅が夜遅くに塗られる場合には保持力が制限されることが望ましいことから、望ましくない場合もある。
【先行技術文献】
【特許文献】
【０００３】
【特許文献１】フランス特許出願公開第２８０７３４６号明細書
【発明の概要】
【発明が解決しようとする課題】
【０００４】
異なる量の保持活性薬剤を含むことで、保持力が異なる口紅も存在する。しかしながらユーザが、口紅を状況に適応させることを必ずしも考えていない場合もあり、また、ユーザは、その日１日複数の異なる口紅を保有することが実用的であるとは思わない。
【０００５】
必要な保持力は、時間帯に単に反比例するわけではないため、この問題は興味深いものである。口紅の場合、ユーザは、例えばグラスに口紅の跡が残らないように、食事の直前に塗られた口紅が良好な保持力を呈することを期待する場合がある。
【０００６】
ヘアスプレーの場合、ユーザは、その製剤が朝利用される場合にはその保持力がその最大であるように、それが夜利用される場合にはその保持力が制限されることを望む場合がある。一般に、ユーザは夜に髪の毛をブラシでとく場合がある。したがって不都合を避けるために、夜は保持力が制限されることが望ましい。ユーザは、朝は良好な保持力を実現するために湿潤力の高い製剤を好み、夜にはそれらがより低い保持力を呈することからより乾性の製剤を好むであろう。
【０００７】
状況は複雑なり得、その理由は、ユーザは朝にヘアスプレーを使用するが、湿潤性の高い配合だと乾くのにより時間がかかり、時にはそれが有効になるまでに１５分もかかることもあるため、湿潤力の低い配合を必要とする場合があるためである。
【０００８】
ユーザが、どの製品を入手するかを決める際に選択の問題に直面する可能性がある。これは別の強度よりも１つの強度を選択するのに躊躇することになる可能性があり、その理由は、ユーザにはその選択が容易ではないことが予め分かっているからである。ユーザは、複数の強度を入手することもできるが、少なくとも収納スペースおよび費用の理由からこの解決策が実用的ではない場合もある。
【０００９】
さらに、たとえ製造業者が自社の製品の強度を明確に特定し、かつそれに対応する情報を包装に表示しようと試みたとしても、ユーザが利用する時間を間違える恐れがある。ユーザが強度を認識することができるように製造業者が他の標示を付け加えたとしても、一部のユーザにとっては、そのような補助的な標示を認識し、覚えておくことが難しいというリスクを伴う。
【００１０】
様々な強度を有することに対する要望は、上記に記載したものに限ったことではなく、日光、乾燥、高温または低温から保護するための製剤、制汗剤および消臭剤、香水ならびにヘアジェルにも適用することができる。
【００１１】
多様な強度で製品を作成する、または一種類の強度で製品を作成し、その強度を調節するためのその製品のアプリケーション管理をユーザ任せにすることが可能である。
【００１２】
例えば、様々な強度で複数の制汗剤を作成することが可能である。しかしながら、少なくとも、ユーザは複数の製品が散乱することを好まない可能性があることが調査により示されているという理由により、製造業者は一般にはこの手法を選択してこなかった。ユーザは、塗布する量を変えることによって製品の強度を調節することができる。しかしながらこれが問題となる場合もあり、その理由として少量を塗布するのが難しいからである。多量の製剤を塗布することは至極簡単である場合があるが、その後でユーザが不快な問題に悩まされる恐れがあり、これは、例えば塗布した後に何十分も残る湿った感触や外観が濡れて見えることに関する問題となる場合もある。
【００１３】
さらに特定の製品は、様々な強度で利用できるように作成することができない。これは一般に、例えばヘアカラー製品など既に多様な色で利用できるように作成されている製品にあてはまることがある。
【００１４】
このような様々な強度で利用できるヘアカラー製品を作成することにより、利用できる製品の数が膨大に増えることになる。しかしながらこのような状況では、ユーザに、その製品が使用される瞬間に応じて製品を適応させる以外に選択権がないことがあり、これは大抵望ましくない結果となる。
【００１５】
特許文献１には、ユーザが投与ボタンを押したときメッセージを出力することができる電子回路を含むフラスコ瓶が記載されている。フラスコ瓶は、外部の物理的なパラメータ、特に周辺光および／または周囲温度の少なくとも１つのセンサを含むことができる。
【００１６】
この電子回路は、クロックからデータを受信するマイクロコントローラを含んでよい。出力されるメッセージは、その時間帯、またはそれ以前の使用からの経過時間を考慮することができる。
【課題を解決するための手段】
【００１７】
本発明の例示的実施形態によって、
・１つまたは複数の組成物を含み、製剤がそこから放出される包装および投与デバイスと、
・内部クロックおよび／またはクロックデータ受信機と、
・包装および投与デバイスに結合された、またはそこに結合するのに適している、包装および投与デバイスによって投与される製剤の少なくとも１つの特性を変えることができる調節システムと、
・少なくとも内部クロックおよび／またはクロックデータ受信機によって出力されるクロックデータに応じて、調節システムに対して自動的に作用する、あるいは少なくともクロックデータに応じて、調節システムに対して取るべき動作をユーザに知らせる手段と、
を備える化粧用または皮膚用システムが提供される。
【００１８】
様々な実施形態によると、製剤は、気体以外の形態、例えば液体、クリーム、ゲル、懸濁液、エマルジョンまたは流動性粉末などの流体の形で放出される。
【００１９】
本発明のシステムおよび方法によると、このシステムによって、自動的にまたは半自動的に投与される調剤の配合を最適なものにすることが可能になる。用語「自動的」は、製剤の配合の調節が、ユーザと調節部材とが相互に作用することを必要としないことを意味するものとして理解すべきである。用語「半自動的」は、調節がユーザの体の一部の動作を必要とし得る、すなわちユーザが、例えば調節ボタン、摺動部品、調節ノブなどの調節部材に対して手動で、かつ例えば包装および投与デバイスに内蔵されたシステムに組み込むことができる表示灯、表示装置またはスクリーンなどによって、システムによって例えば可聴式または視覚式に提供される情報に応じてユーザが動作する必要があることを意味するものとして理解すべきである。
【００２０】
本発明を利用することで、ユーザがシステムを利用する際、作成され投与する準備が整った製剤は、使用するその時に望ましい（例えば最適化された）第１または第２の活性剤の濃度を呈示する。このような最適化は、少なくともクロックデータに基づいて行なわれる。
【００２１】
用語「一次活性剤」は、例えばシャンプーの湿潤剤など製剤に対して最も重要な効果を与える活性剤を指すのに使用される。用語「二次活性剤」は、例えばシャンプーの場合、芳香を与えるおよび／または流動性を調節する薬剤など製剤に魅力を与える役割を担う活性剤を指すのに使用される。
【００２２】
本発明のいくつかの実施形態によると、望ましい（例えば最適化された）、すなわち使用するその時に望ましい濃度で一次および／または二次活性剤を含む投与製剤を実現することが可能である。仮に本発明の例示的実施形態によるシステムが任意の他の時に使用されたならば、そのときは活性剤の濃度が異なるように調節することが可能である。
【００２３】
本発明を使用して、例えば包装および投与デバイスの貯蔵器の数ならびに調節を行う方法によって、活性剤の濃度を調節するおよび／または投与する際に製剤中に現れる活性剤の性質を変えることもできる。
【００２４】
システムは任意選択で、より複雑な方法でクロックデータを処理するのに適したエキスパートシステムと通信するように構成することもできる。これによりシステム自体を単純にすることが可能になり、結果としてシステムが強力な計算手段を含まなくてもよくなる。
【００２５】
クロックおよび／またはクロックデータ受信機ならびに／あるいは調節システムに動力を供給するエネルギーは、内部電源（例えば電池）、外部電源、周辺光によって、あるいは例えばユーザによって作動される電気機械機構などのエネルギー変換システムに対してユーザが作用することによって提供することができる。
【００２６】
製剤を投与しかつそれを均一にするためのエネルギーは、  所望される場合、ユーザがエネルギー変換器に対して作用する、または例えば包装および投与デバイスの１つまたは複数の壁を押すことによって直接作用することによって提供することができる。エネルギーはまた、内部または外部電源により、例えば太陽電池セルによって周辺光を電気に変換させることによって提供することもできる。
【００２７】
調節システムは、ユーザが、製剤を放出させるように包装および投与デバイスに対して動作する際、自動的に作動するように構成されてよい。例えば包装および投与デバイスは、ユーザが、１つまたは複数のその貯蔵器から出口に向かってその内容物を放出させるためにデバイスの壁を押す際に操作されるスイッチを含んでよい。
【００２８】
本発明の例示的実施形態による化粧用または皮膚用システムは、少なくとも前記クロックデータに応じて、投与される製剤中の少なくとも１つの活性剤の濃度を変えるように構成されてよい。
【００２９】
この目的のために、包装および投与デバイスは、放出される製剤を形成する目的で一緒に混合するために２つの開始組成物（開始生成物とも称される）を中に含む２つの貯蔵器を有してよく、調節システムは、少なくとも該クロックデータに応じて、投与される製剤中で一方の開始組成物と他方の組成物の比率を変えるように作用する。用語「開始組成物」は、元々貯蔵器に供給されており、かつ製剤中に含有されるおよび／または製剤に加工処理されるように構成された組成物を指すものと理解すべきである。このような開始組成物は、活性剤、中性薬剤および／または所望であればそれらの任意の組み合わせであってよい。組成物には、例えば液体、クリーム、ゲル、懸濁液、エマルジョンまたは流動性のある粉末などの流体、ならびに／あるいは例えば棒状などの固体が含まれてよい。
【００３０】
調節は、例えば所定の時間内の直近の使用に対応する基準となる瞬間から経過した期間に応じて自動的に行なわれてよい。いくつかの実施形態ではシステムは、システムが使用される毎に、詳細には製剤が投与される毎に再初期化される経過時間計測器を含むことができる。用途によっては、相対時間が長くなることにより活性剤の割合がある程度高くなる場合または低くなる場合もある。
【００３１】
調節はまた、少なくとも絶対時間、すなわち任意の事象から独立して測定される時間、および／または相対時間、すなわちその他の事象（例えば製剤のそれ以前の利用）に対して測定された時間を考慮することができる。
【００３２】
これは、例えばシャンプーに関して有益であり、その場合、その日の遅くに（夜間に）利用される場合には湿潤剤の含有量が小さくなるようにされているだけでなく、それ以前の利用が最近であった場合、その含有量がさらに小さくなるような対応がなされてもよい。
【００３３】
本発明の例示的実施形態によるシステムにおいて、相対時間のみに基づいて調節することができる製剤の例として、例えば以下の
・洗浄製品（シャンプー、コンディショナー、練り歯磨きなど）、
・耐久性のある効果を持つ製品（パーマネントウェーブ剤、ヘアカラー剤、漂白剤、皮膚用着色剤）を挙げることができ、それ以前の利用が最近であった場合、製剤中の活性剤の含有量を減らすことができる。
【００３４】
相対時間は、時間、日、月または他の好適な時間に関する期間（例えば秒、ミリセカンド、分など）で測定されてよい。
【００３５】
調節はまた、例えば月経周期などの生理的サイクルに応じて、かつこのサイクルと該クロックデータとの相関性に応じて自動的に行なうこともできる。システムは、ユーザがこのサイクルにおける位置をシステムに知らせることができるように構成されてよい。
【００３６】
システムはまた、ユーザの電子ダイアリにアクセスし、少なくとも該ダイアリから出力されるデータおよび該クロックデータに応じて製剤の特性を調節するように構成されてよい。例えばシステムは、ダイアリデータを含むコンピュータアドレスに接続する、あるいは数ある中でもとりわけパーソナルデジタルアシスタント（ＰＤＡ）、携帯電話および／またはコンピュータなどを介してダイアリデータを受信するように構成されてよい。クロックデータは、コンピュータでのように０と１の二値状態を交互に取る発振器の出口信号とは異なる。当業者であれば、本明細書で参照される内部クロックが、デジタルプロセッサに結合されたバイナリクロック（すなわちクロックパルス生成器）とは異なることを理解するであろう。例えば記載される内部クロックは、ハードウェアおよび／またはソフトウェアとして設けられ、年、月、日、時間、分、秒および／または季節（すなわち冬、春、夏および秋）を追跡するように構成されてよく、例えばグリニッジ平均時（ＧＭＴ）または任意の他の好適な時間軸に基づいてよい。
【００３７】
本発明の例示的実施形態によるシステムは、それ以前の利用から経過した期間が与えられると、例えば製剤を新たに塗布することが望ましいことをユーザに気付かせるために、少なくとも該クロックデータに応じてメッセージを送信することができる信号手段を含むことができる。
【００３８】
調節システム、内部クロックおよび／またはクロックデータ受信機、ならびにクロックデータに応じて調節システムに対して作用する手段は、包装および投与デバイスに内蔵されてよく、例えばユーザが分離できないように、例えば貯蔵器と同一の筐体内に含まれる。
【００３９】
本発明の例示的実施形態によるシステムは、例えば内部クロックおよび／またはクロックデータ受信機を含む、包装および投与デバイスに結合された基地局を含んでよい。基地局は、内部クロックおよび／または該受信機から出力されるクロックデータに応じて調節システムに対して作用する手段を含んでよい。
【００４０】
基地局は任意選択で、デバイスが製剤を投与するのに使用される間、包装および投与デバイスに固定されてよい。
【００４１】
基地局は、包装および投与デバイス上に分離可能に設置されてよい。
【００４２】
システムは、同一の基地局に結合された複数の包装および投与デバイスを含む場合がある。一例としてユーザは、基地局を、そこから製剤が投与される開始組成物を中に含む包装および投与デバイスに結合することができる。一変形形態では、基地局は、包装および投与デバイスを、それが使用される間遠隔式に制御する。別の変形形態では、使用される包装および投与デバイスは調節するために一時的に基地局に結合され、その後製剤が投与される間そこから分離される。
【００４３】
外部クロックの場合、本発明の例示的実施形態によるシステムは、システムが受信したクロック信号が脆弱であるまたは劣化している場合ユーザに警告するように構成されてよい。
【００４４】
調節する目的で、システムはまた、例えば使用期間、使用回数または使用頻度など包装および投与デバイスの使用に関するデータを考慮するように構成されてよい。例えばシステムは、２回の使用のその間に日光に曝される時間を考慮して、例えば日焼けと活性剤が与える保護を斟酌した上で活性剤の含有量を変えることができる。
【００４５】
システムはまた、例えば貯蔵器内のレベルまたは流量計測に関する内部情報を考慮することもできる。
【００４６】
システムは、手の中に保持するのに適した１つのユニットを構成することができる。所望される場合システムは、基地局と包装および投与デバイスをハンドピースの形態で備えることができる。一例として、この包装および投与デバイスは、製剤を投与していないときは基地局の上に置かれるように構成されてよい。
【００４７】
基地局は、調節システムの少なくとも一部と共にクロックデータ受信機および／または内部クロックを含むことができる。例えば基地局は、デバイスが基地局の上に置かれたとき、またはそれが何らかの他のやり方で基地局に結合されたとき、デバイスの調節部材に対して作用するのに好適な作動装置を含むことができる。包装および投与デバイスは、開始組成物を中に含む貯蔵器と、製剤を投与するための手段とを含むことができる。ユーザが包装および投与デバイスを基地局から分離させたとき、基地局によって規定されたように調節が行なわれる。所望される場合、基地局は携帯電話へのドッキングステーションとして機能する場合もあり、この電話を使用して調節システムを制御することができる。
【００４８】
本発明の例示的実施形態によるシステムは、個々の端末から、または本発明の例示的実施形態による別のシステムから情報を受信することができる。個々の端末は、例えば中継器、携帯電話、ＰＤＡ、パーソナルコンピュータ、ローカルサーバなどいずれのタイプのものでもよい。
【００４９】
本発明の実施形態によると、本発明の例示的実施形態によるシステムによって投与される製剤は、化粧品または生理作用を引き起こす製剤であってよい。製剤は、香水とは異なる場合もある。
【００５０】
本発明のいくつかの実施形態によると、調節システムは、例えば冬の数ヶ月間ビタミンＤの含有量を増やす目的で、投与される製剤中のビタミンＤの含有量に対して作用することができる。
【００５１】
本発明のいくつかの実施形態によると、調節システムは、投与される製剤中の、例えばビタミンＣなど日光とは全く共存できない化合物の含有量に対して、例えば夜間にこのような化合物の含有量が増加するように作用する。
【００５２】
活性剤の含有量が、特に時間帯および／または曜日および／または月といった絶対時間に左右され得る製剤の一例として、日焼け止めを挙げることができる。こういった状況では、投与される製剤は、例えば早い時間帯にサンフィルタの割合が高くなり得る。さらに投与される製剤は、日のよく照る季節にはサンフィルタの割合が高くなり得る。投与される製剤はまた、１週間のうち屋外で過ごす時間を含む曜日、例えば休日または週末にサンフィルタが多くなり得る。
【００５３】
本発明はまた、皮膚が乾燥するのを防ぐ、あるいは脂性肌またはアクネを防ぐための製剤の作成に適用される。
【００５４】
典型的には、一部の女性は、例えば月経のとき皮膚の油分の生成が多くなり「脂っぽく」見えてしまうことがある。さらに、週末はさほど頻繁に洗顔しない人も中にはおり、皮膚にあまり治療剤を塗布しない場合もある。したがって、製剤が金曜日と月曜日により高い濃度の活性剤を保持することが望ましい場合がある。さらに、夜は強力で朝は弱くなるような脂性肌用の製剤が好まれる場合もある。これは、夜は皮膚が冷気または風に曝されないため、皮膚を擦ってもあまり支障がないこともあるからである。
【００５５】
本発明の実施形態はまた、制汗剤、消臭剤、フットケア製品、香水、および冬特有の気候から保護するための製品の作成に適用することができる。例えばアルミニウム塩、抗菌剤または芳香剤などの活性剤の濃度は、時間帯、曜日または季節によって調節することができる。
【００５６】
本発明の実施形態はまた、蚊または他の昆虫および寄生虫から保護するための製剤に適用することもできる。典型的にはＮ，Ｎ−ジエチル−メタ−トルアミド（ＤＥＥＴ）である活性剤の含有量は、使用する時間および／または季節に応じて調節することができる。
【００５７】
本発明の実施形態は、身体および髪の毛の洗浄用の製剤に適用することができる。例えば湿潤剤、ふけ予防剤などの活性剤の含有量は、時間帯に応じて調節される場合があり、その理由は、夜と比べて朝は洗浄がより強力になり得るからである。夏と比べて冬に湿潤剤に対する要望が大きくなることが多いことを考えると、含有量は季節に応じて調節されてよい。
【００５８】
本発明の実施形態は、マウスケア製品、特に練り歯磨きに適用することができる。例えば湿潤剤、フッ化物、歯磨き粉、口臭予防剤などの活性剤の含有量は、時間帯に応じて調節することができる。
【００５９】
本発明の実施形態は、例えばファンデーション、パウダー、アイライナー、マスカラ、口紅、グロス、マニキュア液、ほほ紅などの化粧品などの着色された製剤、および酸化染料、直接染料などの髪の毛用の組成物に適用することができる。例えば毛髪染料剤、特に顔料、ワックス、粉体、光沢剤、保持剤などの活性剤の含有量は、時間帯または曜日または月に応じて調節することができる。例えば基剤とカプラー、直接着色剤、ドコサヘキサエン酸（ＤＨＡ）などの着色剤と顔料の含有量は、その季節に合うように時間、量、比率を調節することができる。
【００６０】
保持剤の含有量は季節に応じて調節することができ、冬は耐水性を高めることが望ましく、夏には着色効果を持続させるために耐光性と、例えば化粧品など一時的な着色の場合には耐汗性や耐熱性を高めることが望ましいことが理解される。
【００６１】
本発明の実施形態は、ヘアスプレー、ジェル、セット用ローション、フォーム、重みを出す製品などのヘア製品に適用することができる。例えばポリマーまたは粘着剤、すなわち一般にはワックスなどの活性剤の含有量は、時間帯および月に応じて調節することができる。
【００６２】
本発明の実施形態は、パーマネントウェーブ剤、あるいは直毛にするまたは髪の毛を滑らかにする薬剤など永続的に髪の毛を形作る製品に適用することができる。例えばチオール、アルカリなどの活性剤の含有量は、季節に応じて調節することができる。
【００６３】
システムの包装および投与デバイスは、手持ち式であり携帯できるものであってよい。換言すると、システムおよび／または包装および投与デバイスは手で扱うことができる、すなわち片手で保持され、残りの手で作動させることができる。
【００６４】
本発明の別の実施形態によって、化粧用または皮膚用システムが提供される。システムは、１つまたは複数の組成物を含み、そこから皮膚、粘膜またはケラチン繊維に塗布するのに適した流体の形で製剤が放出される包装および投与デバイスと、内部クロックおよび／またはクロックデータ受信機と、包装および投与デバイスに結合された、またはそこに結合されるのに適している、包装および投与デバイスによって投与される製剤の少なくとも１つの特性を変えることができる調節システムであって、製剤中の少なくとも１つの活性剤の濃度を変えるように構成された調節システムとを含むことができる。システムはさらに、少なくとも内部クロックおよび／またはクロックデータ受信機によって出力されたクロックデータに基づいて調節システムを制御する、あるいは少なくともクロックデータに応じて調節システムに対して取るべき動作をユーザに知らせるプロセッサを含むことができる。
【００６５】
本発明の別の実施形態によって、化粧用または皮膚用システムが提供される。システムは、１つまたは複数の組成物を含み、そこから皮膚、粘膜またはケラチン繊維に塗布するのに適した流体の形で製剤が放出される包装および投与デバイスと、内部クロックおよび／またはクロックデータ受信機と、包装および投与デバイスに結合された、またはそこに結合されるのに適している、包装および投与デバイスによって投与される製剤の少なくとも１つの特性を変えることができる調節システムとを含むことができる。システムはさらに、少なくとも内部クロックおよび／またはクロックデータ受信機によって出力されたクロックデータに応じて調節システムを制御するプロセッサを含んでおり、この場合の制御は、絶対時間に基づくものである。
【００６６】
上記に記載した構造上の構成とは別に、本発明は、以下に説明されるものなど多くの他の構成を含むことができる。前述の記載および以下の記載は共に例示であることを理解されたい。
【００６７】
添付の図面は、本明細書の一部に組み込まれかつその一部を構成するものであり、この記載と共に本発明の非制限的実施形態のいくつかの代表的な特徴を示し、本発明の原則を説明する機能を果たす。
【図面の簡単な説明】
【００６８】
【図１】本発明の例示的実施形態によるシステムを示す図である。
【図２】本発明の例示的実施形態によるシステムを示す図である。
【図３】本発明の例示的実施形態によるシステムを示す図である。
【図４】本発明の例示的実施形態によるシステムを示す図である。
【図５】本発明の例示的実施形態によるシステムを示す図である。
【図６】本発明の例示的実施形態によるシステムを示す図である。
【図７】調節システムの例を示す図である。
【図８】調節システムの例を示す図である。
【図９】調節システムの例を示す図である。
【図１０】本発明の例示的実施形態によるシステムを示す図である。
【図１１】調節システムの例を示す図である。
【図１２】調節システムの例を示す図である。
【図１３】調節システムの例を示す図である。
【図１４】調節システムの例を示す図である。
【図１５】調節システムの例を示す図である。
【図１６】本発明の例示的実施形態によるシステムを示す図である。
【図１７】本発明の例示的実施形態によるシステムを示す図である。
【図１８】本発明の例示的実施形態によるシステムを示す図である。
【図１９】本発明の例示的実施形態によるシステムを示す図である。
【図２０】本発明の例示的実施形態によるシステムを示す図である。
【図２１】本発明の例示的実施形態によるシステムを示す図である。
【図２２】本発明の例示的実施形態によるシステムを示す図である。
【図２３】本発明の例示的実施形態によるシステムを示す図である。
【図２４】本発明の例示的実施形態によるシステムを示す図である。
【発明を実施するための形態】
【００６９】
本発明の例示的実施形態の詳細が以下に参照されており、その例が添付の図面に示されている。同一の参照番号は可能な限り、図面を通して同一のまたは同様の部分を指すのに使用される。上述の概略的な記載と以下の詳細な記載は共に、主張されるように単なる例示でありかつ説明するためのものであり、本発明を限定するものではないことを理解されたい。図１は、本発明の例示的実施形態による例示的な化粧用または皮膚用システム１０を示している。システム１０は、１つまたは複数の組成物（例えば活性剤および／または中性剤を中に含む）を中に含み、製剤がそこから投与される１つまたは複数の貯蔵器１１を備えてよい。これらの組成物はまた、本発明を通して開始組成物および／または製品と呼ばれることもある。システム１０はさらに、調節システム１２と、クロックデータ受信機と相互に置き換えることができるクロック１３とを含んでよい。
【００７０】
調節システム１２は、少なくともクロックデータによって制御されて、投与される製剤中の活性剤の濃度を調節する。システム１０は、以下でより詳細に記載されるようにこの目的のために化合物を含む。
【００７１】
システム１０は、例えば開始組成物を中に含む筐体を備える包装および投与デバイスと、調節システム１２と、クロック１３と、クロックデータによって調節システムに対して動作を行なうのを可能にする手段とを含む。作用および／または処理手段としてのこの手段は、プロセッサ、マイクロプロセッサおよび／またはマイクロコントローラ、専用集積回路、電子コンパレータ、トランジスタ、ダイオード、増幅器、ならびに／あるいは処理するように構成された任意の他の好適なデジタルまたはアナログ電子部品であってよい。例えば作用および／または処理手段は、ｉ３８６アーキテクチャプロセッサ、ＲＩＳＣプロセッサ、および／または指示を実行させるように構成された他の構成部品であってよい。
【００７２】
一変形形態ではシステム１０は、基地局と、基地局から分離することができる包装および投与デバイスとを備えており、この基地局は、例えば調節システム１２、クロック１３、およびクロックデータに基づいて調節システム１２に対して作用するプロセッサの全てまたはそのうちの一部を含んでよい。
【００７３】
このような状況では、包装および投与デバイスは、例えば開始組成物と、開始組成物から形成された混合物を投与する手段とを含む。デバイスの調節部材は、投与される製剤中の活性剤の含有量に応じて基地局によって作動されてよい。
【００７４】
本発明の例示的実施形態によるシステム１０の貯蔵器１１は任意選択で詰め替え可能であり、包装および投与デバイスから任意選択で分離可能である。包装および投与デバイスによって、所望される場合ユーザが１つまたは複数の貯蔵器１１を交換することが可能になる。
【００７５】
一変形形態では、システム１０によって、クロックおよび／または調節システム１２を交換することが可能になる。
【００７６】
クロックは、図１に示されるように、包装および投与デバイスに内蔵された内部クロック、あるいは一変形形態では、図２に示されるように例えばコンソール、台座、包装、または浴室の鏡の形態で基地局内に配置された遠隔式外部クロック２３であってよい。
【００７７】
包装および投与デバイスはそれ自体、無線または有線でクロックデータを受信する受信機を備えることができる。
【００７８】
図３に示される特定の例では、クロックは、複数の包装および投与デバイスに共通である。
【００７９】
例えば特定の場所（例えば浴室）は、遠隔式外部クロック２３またはクロックデータ受信機を含む基地局を備えており、複数の包装および投与デバイスと相互に作用することができる。このような実施形態において、各包装および投与デバイスは、基地局によって送信されるデータを受信するローカル受信機１５を含んでよい。
【００８０】
システム１０が、既存のクロックから出力される時間データを拾うように構成されているならば、本発明の例示的実施形態によるシステム１０に専用クロックが内蔵されているにせよ、あるいはそうでないにせよ、それなしでデータを拾うことが可能である。例えばシステム１０は、ワイファイ、ブルートゥースおよび／または衛星伝送および／またはマイクロソフトソリューションフレームワーク（ＭＳＦ）、データ伝送機能（ＤＣＦ）、全地球測位システム（ＧＰＳ）および／またはネットワークタイムプロトコル（ＮＴＰ）信号、あるいは他の好適な伝送方法によって伝送される時間データを受信するように構成されてよい。
【００８１】
本発明の例示的実施形態によると、システム１０は、クロックデータに基づいて調節システム１２によって選択される方向性を支援する１つまたは複数のエキスパートシステムを含むことができる。このようなエキスパートシステムは任意選択で、図４に示されるように包装および投与デバイスに内蔵されてよい。
【００８２】
本発明の例示的実施形態によるシステム１０はまた、図５に示されるように、外部エキスパートシステムとデータを交換することができる。例えば図６に示されるようないくつかの実施形態では、システム１０は、クロックと、各包装および投与デバイスと結合された複数のエキスパートシステムとを収容する基地局を含むことができる。
【００８３】
クロック
本発明のいくつかの実施形態によると、使用されるクロック１３または２３は電子式であってよい。このような実施形態では、計時は水晶振動子によって行なわれてよい。さらに、クロック１３または２３が機械式および／または電気機械式である場合もある。
【００８４】
クロック１３または２３は、特定の長さの時間の時間が経過した後、例えば毎日、毎週、毎月または毎年自らゼロにリセットすることができる。
【００８５】
クロック１３または２３は、例えば月経サイクルなどの自然のリズムに適合するように調節されて、月経サイクルにおける位置に応じて髪の毛または皮膚の治療剤を適応させることができる。
【００８６】
クロック１３または２３はまた、製剤を投与した後自らゼロにリセットすることができる。これは、例えばシステム１０が、絶対時間ではなく直近の利用からの相対時間を考慮することが望ましい場合に有益である場合がある。
【００８７】
デバイスは、例えばあるクロックが絶対時間を示し、別のクロックが相対時間を示すなど複数のクロックを含むことができる。
【００８８】
上記に言及したように、クロックデータは外部信号によって与えられてよい。この信号は絶対時間を提供する、あるいは内部クロック１３を再同期するように機能することができる。
【００８９】
クロック１３は、システム１０の一部を形成するマイクロコンピュータの内部にあってもよい。
【００９０】
クロック１３または２３を調節する、ならびに／あるいは起こり得る時間差を考慮することができるように、システム１０を作成することが可能である。
【００９１】
クロックデータ処理
システム１０は、クロック１３または２３によって示される時間を、調節システム１２によって行なわれる動作に、またはユーザが調節システム１２に対して作用することができるようにユーザに与えられる指示に変換することができるプロセッサ手段を含む。
【００９２】
処理手段は、１つまたは複数の変換テーブルおよび／または１つまたは複数の変換関数に基づいて変換を行なうことができ、例えばそれはクロック１３または２３によって示される時間をこの変換に入力された時間と比較することができる、あるいはクロック１３または２３によって示される時間に変換関数を適用して、そこから行なうべき動作を推定することができる。
【００９３】
時間は、例えば日（ｄ）、時間（ｈ）、分（ｍｉｎ）および秒（ｓｅｃ）などその多様な構成要素によって表現されてよい。
【００９４】
変換関数または変換テーブルは、例えば時間などこのような構成要素のうちの少なくとも１つに適合されてよい。
【００９５】
例えば、少なくとも１つの活性剤の含有量を表す強度Ｉは、例えばＩ＝Ａ／Ａｂｓ（Ｂ（ｈ−１２））などの関数を使用して、日と関係なく時間のみを基準にして表すことができ、この場合ＡおよびＢは特定の係数を表し、Ａｂｓは「絶対値」関数を表している。このような状況では、強度Ｉは、正午に向かって最大であり、夜には最小になる。
【００９６】
変換関数または変換テーブルは、独立したやり方で複数の時間の構成要素に適用することができる。
【００９７】
例えば混合物の強度Ｉは、時間と日の両方に左右される可能性がある。例えば時間Ｈの時間および週Ｄ（０＝日曜日）の曜日に応じて消臭剤の強度Ｉを提示する変換テーブルは、以下の例示的な表１に示されるようにその週における最適な保護、土曜日の適度な保護（夜は除く）、および日曜日の適度な保護を実現するように構成されてよい。
【００９８】
【表１】
0005684134.tif 000002
【００９９】
表１では、Ｉは０から１００の範囲内にあり、これらの値は、制汗活性剤の最小と最大の含有量にそれぞれ対応する。
【０１００】
変換テーブルおよび変換関数は、例えばユーザに関するもの（年齢、体重、活動状態など）または外部パラメータに関するもの（温度、風、圧力、降水量など）など場合によっては調節可能なパラメータである補助パラメータを考慮することができる。例えば、屋外にいることが多い（建設現場で作業している、または休日など）期間は、例えばその最大値など高い値に設定され、かつ例えば屋内にいることが多い（例えば入院しているときなど）期間は、例えば最小値など低い値に設定される「屋外活動」パラメータが与えられてよい。
【０１０１】
ユーザが、例えばプログラミングおよび／またはユーザインターフェースによって、変換テーブルまたは変換関数を修正または調節することができるような処置がなされてもよい。
【０１０２】
変換テーブルまたは変換関数はまた、例えば事前に記録されたまたはダウンロードされたダイアリを参考にすることによって、計画された活動を考慮することができる。
【０１０３】
ダイアリおよびパラメータは、最初に利用するその時に、および／またはシステム１０が使用されている間は、例えばインターネットまたは電話によってダウンロードすることができる。
【０１０４】
システム１０が複数の人間によって使用されるように適応されている場合、システム１０はまた、ユーザを特定し、ユーザに応じてどの変換関数または変換テーブルを参照すべきかをメモリに記憶することもできる。例えばシステム１０は、ユーザが誰であるかを識別することができる選択機および／または好適なユーザインターフェースを含むことができる。一変形形態ではシステム１０は、例えば無線または有線で（例えばシステム１０に搭載された生体測定センサなどによって）調節システム１２に伝送することができる生体測定情報によって、自動的にユーザを認識することが可能であり得る。
【０１０５】
複数の包装および投与デバイスを同じ場所に一緒に置いてもよく、これらのデバイスは場合によって同じように使用されないこともある。したがって、このような信号を調節システムに１２に確実に対応させるために、クロックデータプロセッサ手段によって送信された信号が、各包装および投与デバイスに結合された調節システム１２によって識別されるような対応がされてもよい。したがってクロックデータプロセッサは、信号内の識別コードを伝送することができ、調節システム１２は、それに対応するコードを識別するためにコンパレータシステムを備えることができる。このようにして調節システム１２は、別の包装および投与デバイスに向けられた指示ではなく、それに対して送信された指示に従う。
【０１０６】
包装および投与デバイスはまた、クロックデータプロセッサ手段にその存在を、および／またはそれにスイッチが入れられていることを（例えばクロージャキャップ開放指示スイッチ（ｃｌｏｓｕｒｅ  ｃａｐ  ｏｐｅｎ  ｉｎｄｉｃａｔｏｒ  ｓｗｉｔｃｈ）によって）知らせるように構成されてよい。それはまた、利用可能な組成物についてプロセッサに知らせることもでき、該プロセッサは所望であれば、この情報を利用して指示に適応することができる。
【０１０７】
本発明の実施形態によると、クロック、１つまたは複数のプロセッサおよび１つまたは複数の調節システムは一緒にグループ分けされる。システム１０は、例えば互換性のある貯蔵器の形態で、または例えば可動式の投与ラック内に配置される組成物の形態で複数のそれぞれ異なる組成物を投与するように設計されている。このような実施形態では、クロックデータプロセッサは、全ての包装および投与デバイスを調節することが可能である。
【０１０８】
本発明の特定の例では、システム１０は、調節がそれ以上時間データに応じて自動的に行なわれないように、またはそれが何らかの他のやり方で、例えば手動で行なわれるようにユーザを調節から解放することができるように構成されている。
【０１０９】
投与および調節システム
本発明は、１つまたは複数の包装および投与デバイスを含むことができる。各デバイスは例えば液体、クリーム、懸濁液、エマルジョンなどおよび／または他の物質（一般には気相物質は含まれない）などの流体を中に含む複数の貯蔵器１１を含んでよく、それらの物質はクロックデータ、および所望される場合追加情報に応じて比率が変えられて混合され、該追加情報は、一例として１つまたは複数の周囲センサによって出力される、あるいは外部データ送信器によって送信される。
【０１１０】
システム１０は、複数の異なる開始組成物を有する包装および投与デバイスを含んでよく、調節システム１２は、クロックデータに応じて少なくとも１つの開始組成物を投与することができるように構成されてよい。
【０１１１】
デバイスが２つの貯蔵器１１を含む場合もあり、調節システム１２は、少なくとも一方の貯蔵器１１から生じる組成物の流量を変えることによって機能することができる。
【０１１２】
例えば、デバイスの一方の貯蔵器１１は不活性開始組成物を中に含んでよく、他方の貯蔵器は、クロックデータに応じて放出される製剤中の活性剤の濃度を変える目的で特定の活性剤（例えばサンフィルタ）の割合が高くなった開始組成物を中に含んでよい。活性剤の割合が高くなった組成物の流量は、例えば混合物中で所望される活性剤の濃度を実現するために、不活性組成物と混合される前に本発明の例示的実施形態によるシステム１０によって調節されてよい。
【０１１３】
流量を変える目的で、図７に示されるように例えば１つまたは複数の弁３０を使用して、貯蔵器１１から汲み出された組成物が利用できるようにされた流れ領域に対して作用することが可能である。例えば、可撓性ホースをある程度平たくするピンチ弁、または流体流路内で針を動かすことによって機能するニードル弁を使用することが可能である。この動作は、調節システム１２の可動部によって駆動されてよく、該可動部は並進式または回転式に動かされる、あるいは何らかのより複雑な動き、例えば磁場または電場によってそれ自体がモータによって駆動されてよい。
【０１１４】
いくつかの実施形態において、図８に示されるように、投与される製剤中の活性剤の含有量を変えるためにポンプ３１の流量に対して作用することが望ましい場合があり、該ポンプは例えば対応する貯蔵器１１から活性剤を取り出すように機能する。
【０１１５】
本発明の例示的実施形態によるシステム１０が３つ以上の貯蔵器１１を有する場合もあり、調節システム１２は、これらの貯蔵器から生じる全てのまたは一部の組成物の流量を調節して、混合物の１つまたは複数の活性剤の割合を高くすることができる。
【０１１６】
本発明のいくつかの実施形態によると、包装および投与デバイスは、所与の容積の開始組成物がそれぞれ連続してまたは同時に外部に、または例えば混合チャンバへと流れるのを可能にすることによって容積の計測を行なうように構成されている。
【０１１７】
本発明のいくつかの実施形態によると、開始組成物に含まれている最初に非活性化された活性剤を活性化するために、クロックデータに応じてエネルギー源が使用される。例えば調節システム１２は、オン／オフ式に機能して活性剤を活性化することができる、または調節システム１２は段階的機能する場合もある。
【０１１８】
例えば図９に示されるように活性剤に活性化チャンバ３３内を通過させることによって、製剤が投与されている間活性剤を活性化することができる。活性剤は、それがデバイスによって投与される前に、固定のまたは可変の所定の量の製剤中で活性化されてよい。例えばデバイスの貯蔵器に含まれる特定の量の組成物が、活性化チャンバ３３へと取り込まれる。組成物が活性化チャンバ３３を出る前に、例えばデバイスによって非活性化された活性剤を活性化するエネルギーが送達される。活性化されるのは、活性化チャンバ３３内に存在する活性剤のみである。貯蔵器１１に残っている活性剤は、非活性化されたままである。
【０１１９】
各利用において、活性剤を活性化する度合いは、クロックデータによって異なってよい。
【０１２０】
活性剤チャンバ内に開始組成物を進入させるために、例えば浸漬管３５を介して組成物が貯蔵器１１から活性化チャンバ３３内に流れるようにするためにユーザが押すことができる１つまたは複数の可撓性の壁を有する図１０に示されるタイプのデバイスを使用することができる。チャンバ内には活性化デバイス３７が存在している。活性化された後、組成物は、例えばポンプによる吸水、活性剤チャンバ内でユーザによって生成される高い圧力、流し込みまたはアプリケータを利用して取り出されるなど何らかの手段によって活性化チャンバ３３から取り出される。
【０１２１】
活性剤は、熱または光などのエネルギーの形態の作用によって活性化される場合もある。
【０１２２】
複数の開始組成物が一緒に混合される場合、デバイスは、この混合物がデバイスを出る前に活性剤を均一にすることができる少なくとも１つの混合チャンバを備えることができる。
【０１２３】
混合は、デバイスからの出口で行なわれてよい。デバイスは、例えば球など、それを投与する前に混合物をかき混ぜるための部材を含んでよい。デバイスはまた、そらせ板を含む投与端部を含んでよい。
【０１２４】
デバイスが、その場で一緒に混合するために開始組成物を中に含む２つの貯蔵器を有する際、混合はデバイスの外で行なわれてよい。
【０１２５】
例えば、混合するための開始組成物は、図１１に示されるように別々の投与流れ口４０を介して外に放出することができる。これらの流れ口は、投与される製剤をユーザがより簡単に受け取ることができるように互いに近接して配置されてよい。開始組成物は、デバイスの外でそれらが取り出された面において互いと接触することができる。
【０１２６】
特定の実施形態において、デバイスは、それぞれが放出チャネルを有する可撓性の壁を備えた２つの貯蔵器１１を有する。放出チャネルは、例えば５ミリメートル（mm）以下、例えば４ｍｍ離れた距離で組成物を互いに近接させて放出することができる。
【０１２７】
所望される活性剤の含有量で製剤を投与することを可能にするには、様々な選択肢がある。
【０１２８】
例えば投与デバイスは、第１の貯蔵器が例えば中性組成物を含み、第２の貯蔵器が活性剤を含むなど、異なる開始組成物を中に含む２つの貯蔵器を有する場合がある。用語「中性組成物」は、投与する製剤を形成するために、一次または二次活性剤を含む少なくとも１つの組成物と混合するための特定の組成物を指すのに使用される。
【０１２９】
放出される製剤中の活性剤の割合は、開始組成物を中に含む貯蔵器とそれに対応する投与流れ口を接続するダクト内のヘッドロスを変えることによって調節することができる。
【０１３０】
例えば図１３に示されるように、一方の開始組成物が流れているダクト１１０をはさんで締め付ける装置を設けることができる。例えばダクト１１０は、デバイスの支持体１１１に対してループ状の支持関係を描いており、システム１０によって制御される可動式のスペーサ要素１１２は、それ自体が支持体１１１からある程度離れてダクト１１０をある程度平たくすることが可能である。一例として、可動要素１１２の間隔はモータ（図示せず）によって制御される。一例として要素１１２は三角形であり、モータによって動力が与えられないときは、ばねがこの要素をダクト１１０と反対方向に推し進めることができる。モータに電力が供給されると、要素１１２が支持体１１０に向かって移動され、ダクトは弾性力によって内側領域がより大きな内径に戻る。一例として使用されるモータは、例えばパフォーマックスタイプのステップモータであってよく、一例としてダクトは、例えば直径が３ｍｍで長さが５５ｍｍの可撓性のプラスチック製の管であってよい。
【０１３１】
貯蔵器に接続された供給ダクトは、図１１に示されるように２つの別々の投与流れ口を介して放出することができる、またはそれらは、例えば図１２に示されるように１つにまとめられ、１つの投与流れ口を介して外部に放出することができる。
【０１３２】
多様な開始組成物の割合はまた、例えば製剤を投与するためにユーザによって作動され、かつ異なる開始組成物にそれぞれ関連するポンプ内である程度の作動ストロークを実現することによって調節することができる。例えばポンプは、押すための複数の制御棒を有することができ、一方の棒は、中性組成物を投与するために一定のストロークで作動させることができ、他方の棒は、中性組成物と混合される活性剤を投与するために可変のストロークで作動され、この可変ストロークは、例えばモータの制御下で伝動要素によって実現される。
【０１３３】
組成物はまた、より長いまたはより短いストロークでピストンを動かすことによって投与されてもよい。
【０１３４】
図１６において、受信データ、および場合によっては様々なセンサから出力されたデータおよび／またはユーザの好みに応じて、推奨される調節を表示するのに適したスクリーン１７０を有する例示的デバイスを見ることができる。
【０１３５】
包装および投与デバイスは、投与される製剤中の活性剤の濃度を調節することができる手動の調節部材２０１を含むことができる。このような状況では、デバイスの作動は半自動的である。ユーザは、表示された勧告に応じて調節システム１２を作動させる。所望される場合、スクリーン１７０は、基地局を他の組成物と共に使用することができるように貯蔵器を中に含む包装および投与デバイスから分離させることができる（すなわち取り外し可能な）基地局の一部を形成することもできる。
【０１３６】
図１７において、製剤を投与するのにユーザが作動するのに適した投与ヘッド２０２を有するシステム１０を見ることができる。
【０１３７】
いくつかの実施形態によると、例えば図１８に示されるように、例えば開始組成物を中に含む貯蔵器の内部容積を小さくすることができる変形可能な壁２０５を有する本体を備えた投与デバイスを用意することによって、製剤を投与することができる。
【０１３８】
図１５の例では、デバイスは、中に開始組成物を含み、かつ例えば直径が例えば３ｍｍで長さが２５ｍｍのプラスチック材料でできた２つの可撓性の管などの２つの出口ダクト２１０および２２０に接続された２つの貯蔵器を含む。
【０１３９】
一方のダクト２１０は開放したままであるように設計することができ、他方のダクト２２０が、例えば切断面が１mmで長さが３センチメートル（cm）のピアノ線などの例えばワイヤ２３０を含むピンチ弁によって様々な範囲まで閉鎖することができる。ワイヤは、例えば他方のダクト２１０も同様に支持する部品などデバイスの固定式の剛性部品２４０にダクトを押しつけて平たくするために、プレストレス式に配置されてよい。ワイヤ２３０の自然な弾性力は、ユーザがそれに対応する貯蔵器を押したときでも組成物がそこを通過しないように、ダクト２２０を静止させてはさんで締め付けるのに十分なものである。
【０１４０】
ワイヤ２３０の他端は、スロットを有する小型の歯車２５０に係合されてよい。この歯車は、モータ２６０（例えば直流（ＤＣ）モータ）と、電流に比例してモータによって出力されるトルクを増大させる歯車列２７０とによって駆動される。
【０１４１】
モータ２６０に電力が供給されると、これは歯車２５０にトルクを伝達し、この歯車がワイヤ２３０を引っ張り、固定式の部品２４０から離すようにそれを移動させる。モータ２６０によって送達される電流が高くなると、ワイヤ２３０がダクト２２０を平たくする度合いが小さくなり、これによりユーザが第２の貯蔵器を押した場合、より多くの組成物が通過することが可能になる。モータにこれ以上電力が供給されなくなると、ワイヤ２３０の弾性力によって、ワイヤが再度ダクト２２０を押圧するような位置に戻され、ダクトを固定式の部品２４０に押しつけて平たくする。
【０１４２】
開始組成物を送達するエネルギーは、例えばユーザが２つの可撓性貯蔵器に力を加える（例えば押す）ことによって供給することができる。したがってユーザが貯蔵器を押さない限り、流体が貯蔵器から出たり出口ダクトに沿って流れたりするのを実質的に阻止することができる。
【０１４３】
例えば図１７および図１８に示される本発明のいくつかの実施形態によると、製剤の特性は自動的に調節することができる。
【０１４４】
図１９では、デバイスが、投与するためのエネルギーを供給するためのユーザ駆動式の作動手段を含んでいないことを見ることができる。例えばデバイスは、トリガーボタン２０８を含んでおり、ユーザがそれを押して、例えばポンプを作動させることによって自動的に製剤の投与を始めさせることができる。
【０１４５】
図２０は、調節システム１２の全てまたは一部と共に、電子回路、詳細にはクロックまたはクロックデータ受信機と、場合によってはユーザインターフェースを備えた基地局２０２０とを有するシステム１０の実現性を示している。
【０１４６】
基地局２０２０は、開始組成物の貯蔵器、投与手段、および調節システム１２の全てまたは一部を収容する包装および投与デバイス２０２１の上に取りつけてよい。
【０１４７】
所望される場合、図２１に示されるように１つの基地局２０２０が、例えば日光から保護するための製剤または冷気から保護するための製剤を放出する目的で異なる組成物を中に含む複数の包装および投与デバイス２１３０と関連付けられる場合もある。
【０１４８】
基地局２０２０は有利には、それと結合されている包装および投与デバイス２１３０内に含まれる組成物を自動的に認識するように構成されており、調節を行なう際にそれについて考慮する。一例としてこのような認識は、電気接触を使用して、すなわち、例えば無線ＩＣタグ（ＲＦＩＤ）チップ、機械式のフィーラおよび／または光学式読取装置などの電子チップを使用して行なうことができる。
【０１４９】
図２２は、２つの部分を呈する、すなわち例えば開始組成物および投与手段を含むハンドピース２２４０の形態の包装および投与デバイスと、ハンドピース２２４０から切り離すことができ、例えばユーザインターフェース、スクリーン２２５２、および任意選択でクロックデータを受信するためのアンテナ２２５１などを含む基地局２２５０とを備えるシステム１０の実現性を示している。
【０１５０】
所望される場合、基地局２２５０は、ユーザインターフェースとして使用され得るｉＰｈｏｎｅ（登録商標）などの携帯電話（図示せず）を受けるためのドッキングステーションとして機能し、クロックデータを受信し、クロックデータの、調節システム１２を制御するための指示への変換に関する計算の全てまたは一部を行なう。
【０１５１】
所望される場合、包装および投与デバイスが電気式の調節作動装置を全く備えていない場合もある。作動装置は、図２３に示されるように基地局２３５０の上にあってよく、それは、例えば流れ調節弁などハンドピース２３４０内にある調節部材と協働する、例えば機械式の伝動装置によって機能することができる。
【０１５２】
本発明の例示的実施形態によるシステム１０は、手の中で保持するのに適した大きさまで小型化できない場合があり、例えば図２４に示されるように、例えば浴室内のカウンターまたは棚の上に置くには大きすぎる小型の器具の状態で提示される場合もある。このようなシステムは、クロックデータを利用して１つまたは複数のその特徴が使用状況に適応された製剤を投与するために１つまたは複数のダクト２６５と共に、一緒に混合するのに適した様々な開始組成物を中に含む容器２４６１を解放可能に受けるのに適した筐体２４６０を含むことができる。
【０１５３】
所望される場合、製剤を投与するために流れ口に送達される組成物を選択することによって、いかなる組成物も混合することなく製剤が投与される場合もある。いくつかの実施形態では、複数の開始組成物を一緒に混合することが望ましい場合もある。
【０１５４】
調節はまた、開始組成物内に含まれる活性剤をいくらか放出することによって行なわれる場合もある。本発明の実施形態によると、エネルギー（例えば光、熱、電気など）を使用して、１つまたは複数の周囲センサから出力された情報に応じて開始組成物内に含まれる、最初は非活性化されている活性剤を活性化することができる。
【０１５５】
したがって、例えばワックスなどの溶解可能な活性剤または熱不安定性官能基にグラフトされた活性剤、または溶解可能な活性剤内に捕捉されて保持される活性剤を加熱することが可能である。さらに、光解離性化学官能基にグラフトされた活性剤など感光性化合物に照射することも可能である。
【０１５６】
一例として調節システム１２は、オン／オフ式に機能して活性剤を活性化することができる、または段階式に機能することもできる。
【０１５７】
活性剤は、活性剤に活性化チャンバを通過させることによって製剤を投与する間活性化することができる。一変形形態では、活性剤は、包装および投与デバイスによって投与される前に、固定されたまたは可変の事前に決められた量の製剤中で活性化される場合もある。
【０１５８】
例えば、活性化チャンバを介して一定量の流体を出口に送達することができる。投与する前にデバイスは、非活性化された活性剤を活性化するためのエネルギーを送達する。活性化チャンバ内に存在する活性剤のみが活性化される。貯蔵器の中に留まる活性剤は、活性化されないままである。
【０１５９】
活性化はこの他の情報も考慮することができる。
【０１６０】
包装および投与デバイス内でまたはそれに結合された基地局内で、システム１０は、他の情報を収集するためのシステムと共に、例えば皮膚の色または肌のきめなどを検知するためのセンサなど、例えばユーザの特徴に関してより適切な知識を得るための少なくとも１つのセンサなどのセンサを含むことができる。
【０１６１】
システム１０はまた、デバイスの外にあるデータ送信器によって送信されるデータの受信機と、受信機によって受信されたデータに応じて調節システム１２に対して作用する、または該データに応じて調節システム１２に対して取るべき動作をユーザに知らせるための手段とを含むことができる。調節システム１２に対して作用する手段は、多様な種類の処理を行なうことができる処理手段を含んでよく、これはある程度複雑なものである場合があり、かつアナログまたはデジタル式に実装することができる。使用される手段は、例えば包装および投与デバイス内に完全に内蔵されてシステム１０に完全に組み込まれてよい。あるいは周囲センサによって出力された信号の全てのまたは一部の処理は、システム１０の外にある、または包装および投与デバイスの外にあるエキスパートシステムにおいて実施することができる。
【０１６２】
受信されたデータは周囲の状況に関連していてもよく、これは湿度、光（可視スペクトル、紫外線Ｂ波（ＵＶＢ）、紫外線Ａ波（ＵＶＡ）、赤外線（ＩＲ）の全てまたはその一部を含む）、温度、空気の導電率、磁場および電場、圧力、風、降水量、霧、イオン化、液体または固体粒子の有無、空気の透明度、気体化合物（ＣＯ２、ＣＯ、Ｎ２、Ｏ２、Ｏ３、ＮＯ２、ＮＯ３）の有無、特定の原子（硫黄）の有無、例えばダニなどの昆虫または花粉などの粒子の有無から選択されてよい。デバイスによって受信されたこのデータは、周辺の状況の提示または予測に関連していてもよい。
【０１６３】
用語「周囲センサ」は、皮膚または髪の毛の特徴を計測するためのものではなく、例えば周囲空気の特徴または太陽放射への曝露などユーザが置かれている環境に関連するものの重要性を測定するように設計されているセンサを指すのに使用される。このようなセンサは、例えば周囲空気の特徴を計測することができる。
【０１６４】
周囲センサはしたがって、湿度、あるいは皮膚または髪の毛の色のセンサ以外のものであり、それは計測値を採るときに皮膚または髪の毛に接触するように設計されていない。湿度または温度を計測する際、周囲センサは、デバイスの内部にあり、デバイスの筐体の壁の裏側に配置されてよい。
【０１６５】
受信されるデータは、国際的な、国内のまたは地方の気象予報センタから、気象計測センタから、気候監視塔、地方の気象台、例えばテレビ、ラジオ、インターネット、温度計、気圧計および／または風速計などを含めた個々の計測所などの情報センタから送信され得る。データを提供する一組の計測所は、周囲の状況に関して曖昧な点がない、明確な読取値を取得するのに望ましいとみなされた場所からデータを収集することができる。このデータは場合によって専門家によって解釈され、可能な限り信頼できる予報を提供することができる。
【０１６６】
一変形形態でシステム１０は、調節システム１２にデータを送信する２つ以上の周囲センサと共に作動する。様々な種類のデータを受信する調節システム１２は、様々な方法で、例えば信号を加えることによってそれを処理することができる。これは例えば、皮膚を乾燥から保護する製剤を投与するシステムに適用され、光センサと温度センサを利用して、光が増大するまたは温度が上昇した場合にデバイスが同一の方向性で応答するようにこれらの信号を一緒に加えることができる。
【０１６７】
一変形形態ではシステム１０は、２つの周囲センサから出力される信号間の差を利用することができる。一例としてこれは光センサと湿度センサを含む、例えば蚊などの昆虫から防ぐ製剤を放出するシステムに適用することができる。投与される際の製剤中の蚊を防ぐ薬剤の含有量は、光の強さが増すにつれて減少し湿度が高くなるにつれて増加する。
【０１６８】
システム１０はまた、例えば各貯蔵器内に含まれるそれぞれ異なる活性剤に関連する２つ以上の周囲センサを有することもできる。各活性剤の含有量は、１つまたは複数の周囲センサに左右されてよい。
【０１６９】
一例において各活性剤は、投与される製剤中で、その活性剤に固有の周囲センサによって出力されたデータに関連する一定の濃度を有する。
【０１７０】
このクロックデータによって、システム１０が、例えば次に生じる光を計算することが可能になる。たとえクロックが、早い時間帯であると示したとしても、紫外線（ＵＶ）照射の検知が一定の値を示した場合、システム１０はこの値を考慮して保護指数を調節し、測定値に対応するものより高い指数を使用することができる。逆に、クロックデータによるとそれが既にその日の遅い時間であった場合、システム１０はこの値を同様に考慮に入れて、測定値に対応するものより低い保護指数を提供することができる。
【０１７１】
製剤の強度は、何らかの他の製剤が使用された場合、その時間に基づいて調節することができる。例えば化粧品の除去剤の強度は、化粧品が顔に塗られたその時間に応じて、本発明の例示的実施形態によるシステム１０によって調節することができる。
【０１７２】
表示装置
システム１０は、例えば数ある中でも特に絶対時間、１つまたは複数の相対時間、現行のプログラム、意図されるまたはそれまでに用意された保護指数などの混合物の性質などのデータをユーザに対して表示する表示装置（例えばスクリーン１７０）を含むことができる。例えばデータは、例えばクロックデータに基づいてシステム１０に対して取るべき動作をユーザに指示することができる。
【０１７３】
システム１０は、例えばそれが状況が変化したことを検知した場合、製剤を再度塗布するまたは混合物を変化させるといった要求をユーザに警告するように構成されてよい。
【０１７４】
クロックデータはまた、使用期限日が過ぎたことまたは使用期限が近いことを警告するように機能する、あるいは例えば水洗いなど何らかの行動を取るべきであることをユーザに警告することもある。
【０１７５】
実施例
システムは、２つの可撓性貯蔵器を有して設けられ、各貯蔵器はそれぞれの放出チャネルを有し、これらのチャネルは、例えば互いから４ｍｍ離れた距離で外に開放している。
【０１７６】
したがって貯蔵器内に含まれる２つの組成物が放出される際、ユーザは、２つの組成物が接触して拡散することによって得られる混合物を回収する。
【０１７７】
一例として、第１の貯蔵器からの出口チャネルは、直径が３ｍｍで長さが２５ｍｍの可撓性のプラスチック製の管であってよく、第２の貯蔵器からの出口チャネルは、直径が３ｍｍで長さが２５ｍｍの可撓性のプラスチック製の管であってよく、図１４に示されるように、その後部面が剛性で固定式の部品２５８によって保持されている。
【０１７８】
第２の貯蔵器の出口チャネル２９５の前方にカム２５９が配置される。カム２５９はその静止位置において、出口チャネル２９５を圧迫する。カム２５９の軸が回転する際、カム２５９は出口チャネル２９５に対する圧力を解放する。
【０１７９】
ユーザが２つの可撓性貯蔵器に圧力を加えることによって、流体を放出するためのエネルギーを供給することができる。したがってユーザが貯蔵器を押さなければ、流体が実質的に貯蔵器から漏れる恐れはなく、チャネル２９５内に流れることもない。
【０１８０】
一方の貯蔵器（例えば第１の貯蔵器）にスイッチが配置される。包装および投与デバイスを掴む際、ユーザは貯蔵器を押圧してスイッチを作動させる。ユーザがデバイスを保持していないとき、スイッチをオフにしてもよい。
【０１８１】
クロックを使用することができ、クロックデータは、ＭａｘＩＩタイプの商標Ａｌｔｅｒａという名のコンプレックスプログラマブルロジックデバイス（ＣＰＬＤ）式論理アレイによって構成されるプロセッサおよび／またはプロセッサ手段によって処理することができる。このタイプの論理アレイは、小型化され予めプログラムを組むことが可能であり、エネルギー消費を抑え、かつ例えば内蔵された３ボルト（Ｖ）の電池によって継続して電力を供給されるのに好適である。
【０１８２】
論理アレイの入／出力の一方がスイッチに接続され、論理アレイの入／出力の他方はサーボモータに接続される。
【０１８３】
そのプログラミングは、時間の値の継続的な増分を含むことができる。
【０１８４】
スイッチが閉鎖される際、論理アレイは、時間の値を日付（０から３６４まで、１は１月１日に相当する）と時間（０から２４まで、０は夜の１２時に相当する）に変換し、日付と時間の値を変換テーブルと比較する。Ｔａｂｌｅ（表）からの出力（Ｓ）は、最終的な混合物中で組成物が濃縮される濃度を示す。以下のＴａｂｌｅ（表）中のＳは、０から１０の相対値である。
【０１８５】
論理アレイは、サーボモータおよびカムの回転を制御し、かつこれにより第２の貯蔵器のチャネルが開放される度合いを調節するために、変換テーブルからの出力データＳをパルス幅変調（ＰＷＭ）信号に変換する。
【０１８６】
スイッチがオンである限り、ＰＷＭ信号は維持される。スイッチが解放されると、ＰＷＭ信号はスイッチが解放されてわずか１分後には停止される。
【０１８７】
電源（５Ｖ）に接続されたサーボモータは、ＰＷＭ信号に応じて１８０度の回転を行なうことができる。
【０１８８】
汚れが付くのを避けるために、システム１０の頂部を保護キャップが覆う。
【０１８９】
実施例１：皮膚治療用製剤
第１の貯蔵器は２０％のグリセリンを含むゲルで満たされ、第２の貯蔵器は、３０％のＵＶフィルタを含むゲルで満たされている。
【０１９０】
この変換は表２に示されており、この場合Ｓは、第２の貯蔵器からの組成物の濃縮度に相当する。
【０１９１】
【表２】
0005684134.tif 000003
【０１９２】
ユーザは保護キャップを外し、デバイスを掴んでスイッチを作動させる。
【０１９３】
数秒後、ユーザはデバイスを締め付けて、貯蔵器内の内容物をそれぞれの出口チャネルを介して放出させることができる。
【０１９４】
使用時間によって、混合物は、テーブル内の値によって表されるようにフィルタまたはケア製品の割合がある程度高められる。
【０１９５】
実施例２：ヘアカラー製剤
第１の貯蔵器は茶色の毛髪染料を含むゲルで満たされ、第２の貯蔵器は赤色の毛髪染料を含むゲルで満たされている。さらにゲルはサンフィルタを含む（１０％）。
【０１９６】
この変換は表３に示されており、この場合Ｓは、第２の貯蔵器からの組成物の濃縮度に相当する。
【０１９７】
【表３】
0005684134.tif 000004
【０１９８】
ユーザは保護キャップを外し、デバイスを掴んでスイッチを作動させる。
【０１９９】
数秒後、ユーザはフラスコ瓶を締め付けて、２つの組成物をそれぞれの出口チャネルを介して放出させる。
【０２００】
使用時間によって、混合物は、テーブル内の値によって示されるようにフィルタと赤色顔料の割合がある程度が高められる。
【０２０１】
気温が低い季節には、毛髪染料は赤色着色剤の割合が高くなり、これは顔の明るさを増す働きがある。この色によって、顔の色がよくなる。
【０２０２】
太陽光線が強い季節には、毛髪染料からは赤色顔料がほとんど無くなる。周辺光や皮膚の色つやを考えると、容貌に関してより満足できる結果が得られる。
【０２０３】
本発明は、上記に記載される例に限定されるものではない。例えば多様な実施形態の実施の特徴は、示されていない変形形態と一緒に組み合わせることができる。
【０２０４】
特許請求の範囲を含めたこの記載を通して、用語「１つ備える」は、他に明言されていなければ「少なくとも１つ備える」と同義であると理解すべきである。加えて、特許請求の範囲を含めたこの記載で説明される任意の範囲は、他に明言されていなければその限界値を含むものと理解すべきである。記載される要素に関する特定の測定値は、一般に容認される生産または工業的公差の範囲内であると理解すべきであり、用語実質的におよび／またはおよその利用はいずれも、このような一般に容認される公差の範囲内にあることを意味することを理解すべきである。
【０２０５】
特定の実施形態を参照して本明細書中の本発明を記載してきたが、これらの実施形態は、本発明の原理および用途の単なる例示であることを理解されたい。したがって例示的実施形態に対して多くの修正形態を加えることができ、添付の特許請求の範囲によって定義される本発明の精神および範囲から逸脱することなく、他の構成が考案され得ることを理解されたい。
【符号の説明】
【０２０６】
１０  システム
１１、２４６１  貯蔵器
１２  調節システム
１３  クロック
１５  ローカル受信機
２３  外部クロック
３０  弁
３１  ポンプ
３３  活性化チャンバ
３５  浸漬管
３７  活性化デバイス
４０  流れ口
１１０  ダクト
１１１  支持体
１１２  可動要素
１７０  スクリーン
２０１  手動の調節部材
２０２  投与ヘッド
２０５  変形可能な壁
２０８  トリガーボタン
２１０、２２０  出口ダクト
２３０  ワイヤ
２４０、２５８  剛性部品
２５０  歯車
２５９  カム
２６０  モータ
２６５  ダクト
２７０  歯車列
２９５  出口チャネル
２０２０、２２５０、２３５０  基地局
２０２１、２１３０  包装および投与デバイス
２２４０、２３４０  ハンドピース
２２５１  アンテナ
２２５２  スクリーン
２４６０  筐体
２４６１  容器
【図１】
0005684134.tif 000005
【図２】
0005684134.tif 000006
【図３】
0005684134.tif 000007
【図４】
0005684134.tif 000008
【図５】
0005684134.tif 000009
【図６】
0005684134.tif 000010
【図７】
0005684134.tif 000011
【図８】
0005684134.tif 000012
【図９】
0005684134.tif 000013
【図１０】
0005684134.tif 000014
【図１１】
0005684134.tif 000015
【図１２】
0005684134.tif 000016
【図１３】
0005684134.tif 000017
【図１４】
0005684134.tif 000018
【図１５】
0005684134.tif 000019
【図１６】
0005684134.tif 000020
【図１７】
0005684134.tif 000021
【図１８】
0005684134.tif 000022
【図１９】
0005684134.tif 000023
【図２０】
0005684134.tif 000024
【図２１】
0005684134.tif 000025
【図２２】
0005684134.tif 000026
【図２３】
0005684134.tif 000027
【図２４】
0005684134.tif 000028